(57)【要約】【課題】  自動販売機に設けられる紙幣識別機の電源起動装置の提供。【解決手段】  この電源起動装置は平時には待機モードにあり、紙幣識別機或いはホストがトリガ信号を発生した後、電源起動装置が待機モードにある紙幣識別機を制御して作業モードに回復させ、アイドル時に、電源起動装置により紙幣識別機を待機モードに進入させ、並びに信号をホストに送り待機モード進入を告知し、紙幣識別機を使用する者がいない時の節電の効果を達成する。【選択図】        図３
0003103850.tif 000002
【実用新案登録請求の範囲】
【請求項１】
紙幣識別機内に電源起動装置が設けられ、この電源起動装置はパルス信号生成器、トリガ装置及び駆動装置で組成され、
該パルス信号生成器が紙幣識別機の入口部分に設けられ、並びに紙幣の挿入によりトリガ信号を生成し、
該トリガ装置はトリガ信号がない時、駆動装置を制御して紙幣識別機の電源を切断させて紙幣識別機を待機モードとなし、トリガ信号がある時、駆動装置を起動して紙幣識別機を動作させ、
該駆動装置はトリガ装置のトリガ信号を受け取り、紙幣識別機を動作させるか否かを制御することを特徴とする、紙幣識別機用の電源起動装置。
【請求項２】
請求項１記載の紙幣識別機用の電源起動装置において、トリガ装置のＰＩＮ  ＯＵＴとそれに接続されたＤ型フリップフロップ（Ｕ１）間にＮチャネルＦＥＴ（Ｑ１）とパルス信号生成器が並列に接続され、該Ｄ型フリップフロップ（Ｕ１）が駆動回路に接続されたことを特徴とする、紙幣識別機用の電源起動装置。
【請求項３】
請求項２記載の紙幣識別機用の電源起動装置において、パルス信号生成器はＲＣ、ホトトランジスタ（ＰＴ）と対応する振動モジュール、発光ダイオードを具えたことを特徴とする、紙幣識別機用の電源起動装置。
【請求項４】
請求項２記載の紙幣識別機用の電源起動装置において、トリガ装置のＤ型フリップフロップ（Ｕ１）が駆動回路中のＮチャネルＦＥＴ（Ｑ２）、ＰチャネルＦＥＴ（Ｑ３）に接続され、且つＰチャネルＦＥＴ（Ｑ３）が紙幣識別機に電源を供給するのに使用されることを特徴とする、紙幣識別機用の電源起動装置。
【請求項５】
少なくとも一つのホストに紙幣識別機及び電源起動装置が設けられ、この電源起動装置が少なくとも一つのホストのトリガ信号を受け取り、該電源起動装置はトリガ装置と駆動装置で組成され、
該トリガ装置は  トリガ信号がない時、駆動装置を制御して紙幣識別機の電源を切断させて紙幣識別機を待機モードとなし、トリガ信号がある時、駆動装置を導通させて紙幣識別機を動作させ、
該駆動装置はトリガ装置のトリガ信号を受け取り、紙幣識別機を動作させるか否かを制御することを特徴とする、紙幣識別機用の電源起動装置。
【請求項６】
請求項５記載の紙幣識別機用の電源起動装置において、パルス信号生成器が更に設けられ、パルス信号生成器はＲＣ、ホトトランジスタ（ＰＴ）と対応する振動モジュール、発光ダイオードを具えたことを特徴とする、紙幣識別機用の電源起動装置。
【請求項７】
請求項５記載の紙幣識別機用の電源起動装置において、トリガ装置のＤ型フリップフロップが駆動回路中のＮチャネルＦＥＴ（Ｑ２）、ＰチャネルＦＥＴ（Ｑ３）に接続され、且つＰチャネルＦＥＴ（Ｑ３）が紙幣識別機に電源を供給するのに使用されることを特徴とする、紙幣識別機用の電源起動装置。ことを特徴とする、紙幣識別機用の電源起動装置。
【考案の詳細な説明】
【技術分野】
【０００１】
本考案は紙幣識別機用の電源起動装置に係り、特に、紙幣識別機或いはホストがトリガ信号を発生した後、電源起動装置が待機モードにある紙幣識別機を制御して作業モードに回復させ、アイドル時に、電源起動装置により紙幣識別機を待機モードに進入させ、並びに信号をホストに送り待機モード進入を告知し、紙幣識別機を使用する者がいない時の節電の効果を達成する、紙幣識別機用の電源起動装置に関する。
【背景技術】
【０００２】
現代社会のテクノロジーの発達により、多くの公共の場所では現代人が重視する便利性及び迅速性を考慮し、ほとんどに自動販売機（物品、チケットの販売機、或いは両替機等）が備えつけられ、並びに上述の自動販売システムにより大幅に人件費を削減するほか、その使用時の便利性は現代人に好ましく受け入れられている。ゆえに販売システムの多くは紙幣識別機を物品の販売、チケット或いは両替用のホストに組み合わせた構成となっており、物品販売或いは両替を行なう。現在の販売システムは営業時にはいずれも商用電源（例えば１１０、２２０Ｖ）より直接電力供給され、紙幣識別機は電力供給モードを維持する。しかし、世界のエネルギー資源が日々枯渇してゆく現状にあって、紙幣識別機が一日の営業で消耗する電力は極めて大きい。ゆえにエネルギー資源が不足する今日にあって、このようなエネルギーの消耗問題の改善が、この業界に従事する者の努力すべき方向である。
【考案の開示】
【考案が解決しようとする課題】
【０００３】
上述の従来の技術の欠点、即ち、現在の紙幣識別機の電力消耗の問題に対し、本考案はそれを解決するために提供されるものである。
【０００４】
本考案の主要な目的は、ホスト（自動販売機）に紙幣識別機と電源起動装置を設け、この電源起動装置により紙幣識別機を平時に待機モードとなし、紙幣識別機或いはホスト（自動販売機）がトリガ信号を発生し、このトリガ信号を電源起動装置に送った後、アイドル時に、電源起動装置が紙幣識別機の電源を切断することにより、紙幣識別機に人が使用しない時の節電の機能を具備させることにある。
【０００５】
本考案の次の目的は、電源起動装置中にさらにパルス信号生成器を設け、且つこのパルス信号生成器を紙幣識別機の入口部分に配置し、紙幣が紙幣識別機の入口に置かれる時に、パルス信号生成器に紙幣識別機を待機モードから作業モードに回復させるトリガ信号を生成させることにある。
【課題を解決するための手段】
【０００６】
請求項１の考案は、紙幣識別機内に電源起動装置が設けられ、この電源起動装置はパルス信号生成器、トリガ装置及び駆動装置で組成され、
該パルス信号生成器が紙幣識別機の入口部分に設けられ、並びに紙幣の挿入によりトリガ信号を生成し、
該トリガ装置はトリガ信号がない時、駆動装置を制御して紙幣識別機の電源を切断させて紙幣識別機を待機モードとなし、トリガ信号がある時、駆動装置を起動して紙幣識別機を動作させ、
該駆動装置はトリガ装置のトリガ信号を受け取り、紙幣識別機を動作させるか否かを制御することを特徴とする、紙幣識別機用の電源起動装置としている。
請求項２の考案は、請求項１記載の紙幣識別機用の電源起動装置において、トリガ装置のＰＩＮ  ＯＵＴとそれに接続されたＤ型フリップフロップ（Ｕ１）間にＮチャネルＦＥＴ（Ｑ１）とパルス信号生成器が並列に接続され、該Ｄ型フリップフロップ（Ｕ１）が駆動回路に接続されたことを特徴とする、紙幣識別機用の電源起動装置としている。
請求項３の考案は、請求項２記載の紙幣識別機用の電源起動装置において、パルス信号生成器はＲＣ、ホトトランジスタ（ＰＴ）と対応する振動モジュール、発光ダイオードを具えたことを特徴とする、紙幣識別機用の電源起動装置としている。
請求項４の考案は、請求項２記載の紙幣識別機用の電源起動装置において、トリガ装置のＤ型フリップフロップ（Ｕ１）が駆動回路中のＮチャネルＦＥＴ（Ｑ２）、ＰチャネルＦＥＴ（Ｑ３）に接続され、且つＰチャネルＦＥＴ（Ｑ３）が紙幣識別機に電源を供給するのに使用されることを特徴とする、紙幣識別機用の電源起動装置としている。
請求項５の考案は、少なくとも一つのホストに紙幣識別機及び電源起動装置が設けられ、この電源起動装置が少なくとも一つのホストのトリガ信号を受け取り、該電源起動装置はトリガ装置と駆動装置で組成され、
該トリガ装置は  トリガ信号がない時、駆動装置を制御して紙幣識別機の電源を切断させて紙幣識別機を待機モードとなし、トリガ信号がある時、駆動装置を導通させて紙幣識別機を動作させ、
該駆動装置はトリガ装置のトリガ信号を受け取り、紙幣識別機を動作させるか否かを制御することを特徴とする、紙幣識別機用の電源起動装置としている。
請求項６の考案は、請求項５記載の紙幣識別機用の電源起動装置において、パルス信号生成器が更に設けられ、パルス信号生成器はＲＣ、ホトトランジスタ（ＰＴ）と対応する振動モジュール、発光ダイオードを具えたことを特徴とする、紙幣識別機用の電源起動装置としている。
請求項７の考案は、請求項５記載の紙幣識別機用の電源起動装置において、トリガ装置のＤ型フリップフロップが駆動回路中のＮチャネルＦＥＴ（Ｑ２）、ＰチャネルＦＥＴ（Ｑ３）に接続され、且つＰチャネルＦＥＴ（Ｑ３）が紙幣識別機に電源を供給するのに使用されることを特徴とする、紙幣識別機用の電源起動装置としている。ことを特徴とする、紙幣識別機用の電源起動装置としている。
【考案の効果】
【０００７】
本考案は紙幣識別機用の電源起動装置を提供し、この電源起動装置は平時には待機モードにあり、紙幣識別機或いはホストがトリガ信号を発生した後、電源起動装置が待機モードにある紙幣識別機を制御して作業モードに回復させ、アイドル時に、電源起動装置により紙幣識別機を待機モードに進入させ、並びに信号をホストに送り待機モード進入を告知し、紙幣識別機を使用する者がいない時の節電の効果を達成する。
【考案を実施するための最良の形態】
【０００８】
図１、３は本考案の第１種のトリガモードの回路ブロック図、及び本考案の回路ブロック図である。第１種のトリガモード中、紙幣識別機２０は主要な制御ユニットとされ、一つ或いはそれ以上のホスト（自動販売機）３０は周辺制御ユニットとされ、且つ紙幣識別機２０の入口部分に電源起動装置１０のパルス信号生成器１３が設置され、電源起動装置１０のトリガ装置１１のＰＩＮ  ＯＵＴは少なくとも一つのホスト（自動販売機）３０に接続されている。
【０００９】
上述の紙幣識別機２０の入口に設定時間後に紙幣の挿入がなければ、紙幣識別機２０内部でそのトリガ装置１１中のＤ型フリップフロップ（Ｕ１）１１１がトリガされ、ＰＩＮ６が高準位から低準位に変わり、即ちＤ型フリップフロップ（Ｕ１）１１１、ＰＩＮ５が０にクリアされ、さらに駆動装置１２中のＮチャネルＦＥＴ（Ｑ２）１２１を通してＰチャネルＦＥＴ（Ｑ３）１２２が主電源の紙幣識別機２０への進入を切断し、これにより紙幣識別機２０が直接節電の待機モードに進入し、並びに信号ＥＮを生成し、トリガ装置１１中のＮチャネルＦＥＴ（Ｑ２）１２１を通してＰＩＮ  ＯＵＴに高準位ロジックを維持させてホスト（自動販売機）３０に既に待機モードに進入したことを告知し、待機モードにあってパルス信号生成器１３中の振動モジュール１３１を利用して発光ダイオード（ＬＥＤ）１３２を駆動して光を発生させ、並びにこの光をホトトランジスタ（ＰＴ）１３３で受信し、Ｖｐｔ電圧を低準位ロジックに維持させ、並びに作業モード回復に待機する。
【００１０】
さらに、紙幣が紙幣識別機２０の入口に挿入されると、発光ダイオード（ＬＥＤ）１３２の光は紙幣により遮断され、ＲＣ充電によりＶｐｔが高準位ロジックに変わり、さらにＤ型フリップフロップ（Ｕ１）１１１、ＰＩＮ１をトリガし、Ｄ型フリップフロップ（Ｕ１）１１１によりＰＩＮ５を高準位に転じさせ、さらに駆動装置１２中のＮチャネルＦＥＴ（Ｑ２）１２１によりＰチャネルＦＥＴ（Ｑ３）１２２に主電源の紙幣識別機２０への進入をオンさせ、且つトリガ装置１１の許可信号（ＥＮ）を利用してＮチャネルＦＥＴ（Ｑ１）１１２を駆動してＰＩＮ  ＯＵＴを低準位に転じさせた後、さらに信号を生成して少なくとも一つのホスト（自動販売機）３０に上述の紙幣識別機２０が既に作業モードに進入したことを告知する。
【００１１】
図２、３に示されるのは、本考案の第２種のトリガモードの回路ブロック図及び本考案の回路ブロック図である。第２種のトリガモード中、一つ或いはそれ以上のホスト（自動販売機）３０が主要なトリガ制御ユニットとされ、紙幣識別機２０は周辺制御ユニットとされ、ホスト（自動販売機）３０が未だトリガ（例えばスイッチの押圧）されてない時、作業モードから待機モードに進入する動作フローは以下のとおりである。紙幣識別機２０はダイオードＤを通してＰＩＮ  ＯＵＴが高準位であることを検出すると、電源起動装置１０中のトリガ装置１１のＤ型フリップフロップ（Ｕ１）１１１のＰＩＮ  ６が低準位トリガ方式のトリガにより、Ｄ型フリップフロップ（Ｕ１）１１１、ＰＩＮ  ５を高準位より低準位に転じさせる。並びにＮチャネルＦＥＴ（Ｑ２）１２１を通してＰチャネルＦＥＴ（Ｑ３）１２２に主電源の紙幣識別機２０への進入を切断させて、紙幣識別機を節電モードに進入させる。
【００１２】
上述のホスト（自動販売機）３０がトリガ（例えばスイッチ押圧）されると、パルスでトリガ信号がＰＩＮ  ＯＵＴ部分で電源起動装置１０中のトリガ装置１１のＤ型フリップフロップ（Ｕ１）１１１、ＰＩＮ１に対して正縁トリガを行ない、これによりＤ型フリップフロップ（Ｕ１）１１１のＰＩＮ５を高準位に転じさせ、駆動装置１２のＮチャネルＦＥＴ（Ｑ２）１２１を通してＰチャネルＦＥＴ（Ｑ３）１２２に主電源の紙幣識別機２０への進入をオンさせ、これにより紙幣識別機２０を作業モードに進入させる。
【００１３】
本考案中、図４、５は本考案の起動後の動作フローチャート（一）、（二）であり、紙幣識別機電源がオンされた時、以下のステップで処理を行なう。
（４０１）電源起動
（４０２）システム初期化
（４０３）システムが正常不能か。正常作業不能であれば、ステップ（４０４）に進み、正常作業可能であれば、ステップ（４０９）に進む。
（４０４）紙幣識別機に紙幣が引っかかっているか。引っかかっていれば、ステップ（４０５）に進み、引っかかっていなければステップ（４０７）に進む。
（４０５）ホスト（自動販売機）に作業信号を送って通知し、ステップ（４０６）を実行する。
（４０６）引っかかった紙幣の排除モードに進入（図７参照）。
（４０７）ホスト（自動販売機）に作業信号を送って通知し、ステップ（４０８）を実行する。
（４０８）待機モードに進入（図６参照）。
（４０９）ホスト（自動販売機）とオンライン状態か。もしオンライン状態ならばステップ（４１２）を実行し、そうでなければステップ（４１０）を実行する。
（４１０）待機モードから作業モードに回復したか。もし回復したならステップ（４１２）を実行し、していなければステップ（４１１）を実行。
（４１１）待機モード進入準備、さらにステップ（４０９）を実行。
（４１２）紙幣進入に待機し、さらにステップ（４１３）を実行。
（４１３）受け取り待機の紙幣があるか。あればステップ（４１５）を実行し、なければステップ（４１４）を実行。
（４１４）節電モード進入準備。さらにステップ（４１３）を実行。
（４１５）紙幣受け取り。さらにステップ（４１６）を実行。
（４１６）紙幣が定位まで送られたか。もし送られていればＳ２部分よりステップ（４１８）に進入し、送られていなければステップ（４１７）を実行。
（４１７）紙幣退出モードに進入（図７参照）。
（４１８）ホスト（自動販売機）とオンラインしているか。イエスであればステップ（４１９）を実行し、ノーであればステップ（４２５）を実行。
（４１９）ホスト（自動販売機）が紙幣受け取りを許可するか。イエスであればステップ（４２０）を実行し、ノーであればステップ（４２８）を実行。
（４２０）ホスト（自動販売機）に紙幣金額を告知し、ステップ（４２１）を実行。
（４２１）ホスト（自動販売機）が取引待機を通知したか。イエスであればステップ（４２２）を実行し、ノーであればＳ３よりステップ（４２６）に進入。
（４２２）ホスト（自動販売機）が紙幣受領通知を許可するか。もしイエスであればステップ（４２３）を実行し、ノーであればステップ（４２８）を実行。
（４２３）紙幣を銭箱に送り、ステップ（４２４）を実行。
（４２４）ホスト（自動販売機）に紙幣受領完了を知らせ、Ｓ１部分よりステップ（４１２）に進入。
（４２５）オンライン待機時間を超過したか。もしイエスならステップ（４２８）を実行し、ノーならステップ（４１８）を実行。
（４２６）ホスト（自動販売機）オンラインに待機するか。イエスならＳ４よりステップ（４２１）に進入し、ノーならステップ（４２７）を実行。
（４２７）通信が時間オーバーか。イエスならばステップ（４２８）を実行し、ノーならばＳ４よりステップ（４２１）に進入。
（４２８）紙幣退出モードに進入（図７参照）。
【００１４】
本考案中、図６に示されるのは、本考案の待機モード動作フローであり、紙幣識別機が待機モードにある時は以下のように処理を進行する。
（５０１）待機モード開始。
（５０２）ホスト（自動販売機）が不許可命令を送ったか。イエスであればステップ（５０３）を実行し、ノーであればステップ（５０５）を実行。
（５０３）ホスト（自動販売機）が通信停止したか。イエスであれば（５０４）を実行し、ノーであればステップ（５０７）を実行。
（５０４）通信完了したか。イエスであれば（５０６）を実行し、ノーであればステップ（５０７）を実行。
（５０５）紙幣識別機が節電モードか。イエスであれば（５０６）を実行し、ノーであればステップ（５０４）を実行。
（５０６）待機状態に進入。
（５０７）待機モードより離れる。
【００１５】
図５、７に示されるのは、本考案の切断後の動作フロー（二）及び本考案の紙幣退出モード時の動作フローである。紙幣識別機が紙幣退出モードにある時、以下のステップで処理を行なう。
（６０１）紙幣退出モード開始。
（６０２）紙幣退出完成か。イエスであればＳ１よりステップ（４１２）に進入し、ノーであればステップ（６０３）を実行。
（６０３）引っかかった紙幣を排除し、ステップ（６０４）を実行。
（６０４）引っかかった紙幣がまだあるか。イエスであればステップ（６０５）を実行し、ノーであればステップ（６０６）を実行。
（６０５）待機モード進入待機。
（６０６）引っかかった紙幣を排除できないか。イエスであればステップ（６０５）を実行し、ノーであればステップ（６０７）を実行。
（６０７）引っかかった紙幣を排除し、ステップ（６０８）を実行。
（６０８）紙幣退出完成か。イエスであればＳ１よりステップ（４２１）に進入し、  ノーであればステップ（６０６）を実行。
【００１６】
こうして、紙幣識別機２０或いはホスト（自動販売機）３０がトリガ信号を生成後、待機モード中の紙幣識別機が作業モードに回復し、アイドル時に、電源起動装置１０が紙幣識別機の電源を切断し、これにより紙幣識別機に使用者がいない時の節電の機能を具備させる。
【００１７】
総合すると、本考案の紙幣識別機用の電源起動装置は確実にその機能と目的を達成し、実用新案登録の要件を具備している。なお、以上の実施例は本考案の実施範囲を限定するものではなく、本考案に基づきなしうる細部の修飾或いは改変は、いずれも本考案の請求範囲に属するものとする。
【図面の簡単な説明】
【００１８】
【図１】本考案の第１種のトリガモードの回路ブロック図である。
【図２】本考案の第２種のトリガモードの回路ブロック図である。
【図３】本考案の回路ブロック図である。
【図４】本考案の起動後の動作フローチャート（一）である。
【図５】本考案の起動後の動作フローチャート（二）である。
【図６】本考案の待機モードの動作フローチャートである。
【図７】本考案の紙幣退出モードの動作フローチャートである。
【符号の説明】
【００１９】
１０  電源起動装置
１１  トリガ装置
１１１  Ｄ型フリップフロップ（Ｕ１）
１１２  ＮチャネルＦＥＴ（Ｑ１）
１２  駆動装置
１２１  ＮチャネルＦＥＴ（Ｑ２）
１２２  ＰチャネルＦＥＴ（Ｑ３）
１３  パルス信号生成器
１３１  振動モジュール
１３２  発光ダイオード（ＬＥＤ）
１３３  ホトトランジスタ（ＰＴ）
２０  紙幣識別機
３０  ホスト（自動販売機）
【図１】
0003103850.tif 000003
【図２】
0003103850.tif 000004
【図３】
0003103850.tif 000005
【図４】
0003103850.tif 000006
【図５】
0003103850.tif 000007
【図６】
0003103850.tif 000008
【図７】
0003103850.tif 000009